(57)【特許請求の範囲】
【請求項１】
ビームフォーミングトレーニングシーケンスの一部として、少なくとも１つのビームフォーミングトレーニング開始フレームを複数の無線通信デバイスのグループに送信する無線通信ユニットであり、前記ビームフォーミングトレーニング開始フレームは、前記無線通信デバイスのグループに割り当てられたグループアドレスと、前記複数の無線通信デバイスのうち２つ以上の無線通信デバイスの２つ以上の関連付け識別子（AID）とを含み、前記２つ以上のAIDの順序は、２つ以上の無線通信ユニットが２つ以上の重複しない期間中に応答する順序を示す無線通信ユニットを含み、
前記無線通信ユニットは、前記２つ以上のAIDの順序に従って前記２つ以上の重複しない期間中に前記２つ以上の無線通信デバイスから２つ以上のフィードバックフレームを受信し、
前記無線通信ユニットは、前記２つ以上のフィードバックフレームに基づいて２つ以上のビームフォーミング方式を判定し、
前記無線通信ユニットは、それぞれ前記２つ以上のビームフォーミング方式を使用して、２つ以上の異なる無線通信送信をそれぞれ前記２つ以上の無線通信デバイスに同時に送信するデバイス。
【請求項２】
前記２つ以上の重複しない期間は、２つ以上のそれぞれのオフセット時間により規定される、請求項１に記載のデバイス。
【請求項３】
前記開始フレームは、トレーニング要求フレームを含み、
前記フィードバックフレームは、チャネルサウンディングフレームを含む、請求項１又は２に記載のデバイス。
【請求項４】
前記開始フレームは、チャネルサウンディングフレームを含み、
前記フィードバックフレームは、ビームフォーミングフィードバックフレームを含む、請求項１又は２に記載のデバイス。
【請求項５】
前記無線通信ユニットは、無線通信媒体で前記無線通信デバイスのグループと通信し、
前記無線通信ユニットは、前記無線通信ユニットが前記ビームフォーミングトレーニング開始フレームを送信し、前記フィードバックフレームを受信し、前記２つ以上の異なる無線通信送信を同時に送信する期間について、前記無線通信媒体を予約する、請求項１ないし４のうちいずれか１項に記載のデバイス。
【請求項６】
前記無線通信ユニットは、少なくとも１つの送信要求パケットを前記グループの１つ以上の無線通信デバイスに送信することにより、前記無線通信媒体を予約し、
前記送信要求パケットは、予約される期間に対応する持続時間値を含む、請求項５に記載のデバイス。
【請求項７】
前記無線通信ユニットは、データパケットを前記グループの無線通信デバイスのうち少なくとも１つに送信することにより、前記無線通信媒体を予約し、
前記パケットは、予約される期間に対応する持続時間値を含む、請求項５に記載のデバイス。
【請求項８】
前記無線媒体は、キャリア検知多重アクセス衝突回避方式に従って動作可能である、請求項５ないし７のうちいずれか１項に記載のデバイス。
【請求項９】
前記無線通信ユニットは、空間分割多重アクセス（SDMA）方式に従って前記２つ以上の送信を送信する、請求項１ないし８のうちいずれか１項に記載のデバイス。
【請求項１０】
ビームフォーミングトレーニングシーケンスの一部として、少なくとも１つのビームフォーミングトレーニング開始フレームを無線通信ユニットから複数の無線通信デバイスのグループに送信するステップであり、前記ビームフォーミングトレーニング開始フレームは、前記無線通信デバイスのグループに割り当てられたグループアドレスと、前記複数の無線通信デバイスのうち２つ以上の無線通信デバイスの２つ以上の関連付け識別子（AID）とを含み、前記２つ以上のAIDの順序は、２つ以上の無線通信ユニットが２つ以上の重複しない期間中に応答する順序を示すステップと、
前記無線通信ユニットにおいて、前記２つ以上のAIDの順序に従って前記２つ以上の重複しない期間中に前記２つ以上の無線通信デバイスから２つ以上のフィードバックフレームを受信するステップと、
前記２つ以上のフィードバックフレームに基づいて２つ以上のビームフォーミング方式を判定するステップと、
それぞれ前記２つ以上のビームフォーミング方式を使用して、２つ以上の異なる無線通信送信を前記無線通信ユニットからそれぞれ前記２つ以上の無線通信デバイスに同時に送信するステップと
を含む方法。
【請求項１１】
前記２つ以上の重複しない期間は、２つ以上のそれぞれのオフセット時間により規定される、請求項１０に記載の方法。
【請求項１２】
前記開始フレームは、トレーニング要求フレームを含み、
前記フィードバックフレームは、チャネルサウンディングフレームを含む、請求項１０又は１１に記載の方法。
【請求項１３】
前記開始フレームは、チャネルサウンディングフレームを含み、
前記フィードバックフレームは、ビームフォーミングフィードバックフレームを含む、請求項１０又は１１に記載の方法。
【請求項１４】
前記無線通信ユニットにより、前記ビームフォーミングトレーニング開始フレームを送信し、前記フィードバックフレームを受信し、前記２つ以上の異なる無線通信送信を同時に送信する期間を含む期間について、無線通信媒体を予約するステップを含む、請求項１０ないし１３のうちいずれか１項に記載の方法。
【請求項１５】
機械により実行された場合、請求項１０ないし１４のうちいずれか１項に記載の方法をもたらす命令を格納した過渡的でない記憶媒体を含む物。
【請求項１６】
複数の他の無線通信デバイスのグループと通信する無線通信デバイスを含む無線通信システムであって、
前記無線通信デバイスは、
１つ以上のアンテナと、
ビームフォーミングトレーニングシーケンスの一部として、少なくとも１つのビームフォーミングトレーニング開始フレームを前記無線通信デバイスのグループに送信する無線通信ユニットであり、前記ビームフォーミングトレーニング開始フレームは、前記無線通信デバイスのグループに割り当てられたグループアドレスと、前記複数の無線通信デバイスのうち２つ以上の無線通信デバイスの２つ以上の関連付け識別子（AID）とを含み、前記２つ以上のAIDの順序は、２つ以上の無線通信ユニットが２つ以上の重複しない期間中に応答する順序を示す無線通信ユニットと
を含み、
前記無線通信ユニットは、前記２つ以上のAIDの順序に従って前記２つ以上の重複しない期間中に前記２つ以上の無線通信デバイスから２つ以上のフィードバックフレームを受信し、
前記無線通信ユニットは、前記２つ以上のフィードバックフレームに基づいて２つ以上のビームフォーミング方式を判定し、
前記無線通信ユニットは、それぞれ前記２つ以上のビームフォーミング方式を使用して、２つ以上の異なる無線通信送信をそれぞれ前記２つ以上の無線通信デバイスに同時に送信する無線通信システム。
【請求項１７】
前記２つ以上の重複しない期間は、２つ以上のそれぞれのオフセット時間により規定される、請求項１６に記載のシステム。
【請求項１８】
前記無線通信ユニットは、無線通信媒体で前記無線通信デバイスのグループと通信し、
前記無線通信ユニットは、前記無線通信ユニットが前記ビームフォーミングトレーニング開始フレームを送信し、前記フィードバックフレームを受信し、前記２つ以上の異なる無線通信送信を同時に送信する期間について、前記無線通信媒体を予約する、請求項１６又は１７に記載のシステム。
【発明の詳細な説明】
【背景技術】
【０００１】
空間分割多重アクセス（SDMA：Spatial  Division  Multiple  Access）通信方式は、無線通信デバイスと複数の他の無線通信デバイスとの間で通信するために実装されることがある。無線通信デバイスは、アンテナの組み合わせを介して実質的に同時に異なる信号を送信することにより、下りリンクSDMA送信を送信し得る。組み合わされた送信信号は、複数の他の無線通信デバイスにより受信される異なる信号が実質的に同じ周波数で異なる方向に送信されることを生じ得る。
【０００２】
無線通信デバイスは、複数の他の無線通信デバイスから異なる信号を含む上りリンクSDMA送信を受信し得る。
【図面の簡単な説明】
【０００３】
【図１】或る例示の実施例によるシステムの概略ブロック図
【図２】或る例示の実施例による無線通信デバイスと他の無線通信デバイスのグループとの間での送信シーケンスの概略図
【図３】或る例示の実施例による無線通信デバイスと他の無線通信デバイスのグループとの間での他の送信シーケンスの概略図
【図４】或る例示の実施例に従って無線通信デバイスのグループと同時に通信する方法の概略フローチャート
【図５】或る実施例による製造物の概略図
【発明を実施するための形態】
【０００４】
説明を簡潔且つ明瞭にするために、図面に示す要素は、必ずしも縮尺通りに記載されているとは限らない。例えば、提示を明瞭にするために、いくつかの要素の大きさは、他の要素に対して誇張されることがある。更に、対応する要素又は類似する要素を示すために、参照符号が図面の間で繰り返されることがある。
【０００５】
以下の詳細な説明では、或る実施例の完全な理解を提供するために、複数の特定の詳細が示されている。しかし、或る実施例は、これらの特定の詳細なしに実施されてもよいことが当業者に分かる。他の場合にも、周知の方法、手順、コンポーネント、ユニット及び／又は回路は説明をあいまいにしないように詳細には記載されていない。
【０００６】
例えば、“処理”、“計算”、“算出”、“判定”、“確立”、“分析”、“検査”等のような用語を利用したここでの説明は、コンピュータのレジスタ及び／又はメモリ内の物理量（例えば、電子量）として表されたデータを、コンピュータのレジスタ及び／又はメモリ又は動作及び／又は処理を実行するための命令を格納し得る他の情報記憶媒体内の物理量として同様に表された他のデータに操作及び／又は変換するコンピュータ、コンピュータプラットフォーム、コンピュータシステム又は他の電子計算デバイスの動作及び／又は処理を示してもよい。
【０００７】
ここで使用される“複数”という用語は、例えば、“多数”又は“２つ以上”を含む。例えば、“複数の項目”は、２つ以上の項目を含む。
【０００８】
或る実施例は、様々なデバイス及びシステム（例えば、パーソナルコンピュータ（PC）、デスクトップコンピュータ、モバイルコンピュータ、ラップトップコンピュータ、ノートブックコンピュータ、タブレットコンピュータ、サーバコンピュータ、ハンドヘルドコンピュータ、ハンドヘルドデバイス、パーソナルデジタルアシスタント（PDA）デバイス、ハンドヘルドPDAデバイス、オンボード（onboard）デバイス、オフボード（off-board）デバイス、ハイブリッドデバイス、車両用デバイス、非車両用デバイス、モバイル又はポータブルデバイス、消費者用デバイス、非モバイル又は非ポータブルデバイス、無線通信局、無線通信デバイス、無線アクセスポイント（AP）、有線又は無線ルータ、有線又は無線モデム、ビデオデバイス、オーディオデバイス、オーディオビデオ（A/V）デバイス、セットトップボックス（STB）、ブルーレイディスク（BD）プレイヤ、BDレコーダ、デジタルビデオディスク（DVD）プレイヤ、高解像度（HD：High  Definition）DVDプレイヤ、DVDレコーダ、HD  DVDレコーダ、パーソナルビデオレコーダ（PVR）、放送HD受信機、ビデオソース（video  source）、オーディオソース（audio  source）、ビデオシンク（video  sink）、オーディオシンク（audio  sink）、ステレオチューナ、放送無線受信機、フラットパネルディスプレイ、パーソナルメディアプレイヤ（PMP）、デジタルビデオカメラ（DVC）、デジタルオーディオプレイヤ、スピーカ、オーディオ受信機、オーディオ増幅器、ゲームデバイス、データソース、データシンク、デジタルスチールカメラ（DSC）、有線又は無線ネットワーク、無線エリアネットワーク、無線ビデオエリアネットワーク（WVAN）、ローカルエリアネットワーク（LAN）、無線LAN（WLAN）、パーソナルエリアネットワーク（PAN）、無線PAN（WPAN）、既存のIEEE802.11（IEEE  802.11-1999:  Wireless  LAN  Medium  Access  Control  (MAC)  and  Physical  Layer  (PHY)  Specifications）、802.11a、802.11b、802.11g、802.11h、802.11j、802.11n、802.11  Tgad（task  group  ad）802.16、802.16d、802.16e、802.16f標準及び／又は将来のバージョン及び／又はその派生に従って動作するデバイス及び／又はネットワーク、既存のWGA（Wireless-Gigabit-Alliance）及び／又はWirelessHD（TM）仕様及び／又は将来のバージョン及び／又はその派生に従って動作するデバイス及び／又はネットワーク、前述のネットワークの一部であるユニット及び／又はデバイス、一方向及び／又は双方向無線通信システム、セルラ無線電話通信システム、セルラ電話、無線電話、パーソナル通信システム（PCS）デバイス、無線通信デバイスを組み込んだPDAデバイス、モバイル又はポータブル全地球測位システム（GPS）デバイス、GPS受信機若しくはトランシーバ又はチップを組み込んだデバイス、RFIDエレメント又はチップを組み込んだデバイス、MIMO（Multiple  Input  Multiple  Output）トランシーバ又はデバイス、SIMO（Single  Input  Multiple  Output）トランシーバ又はデバイス、MISO（Multiple  Input  Single  Output）トランシーバ又はデバイス、１つ以上の内部アンテナ及び／又は外部アンテナを有するデバイス、デジタルビデオ放送（DVB）デバイス又はシステム、マルチ標準無線デバイス又はシステム、有線又は無線ハンドヘルドデバイス（例えば、Blackberry、Palm  Treo）、WAP（Wireless  Application  Protocol）デバイス等）と共に使用されても��い。
【０００９】
或る実施例は、１つ以上の種類の無線通信信号及び／又はシステム（例えば、無線周波数（RF）、赤外線（IR）、周波数分割多重（FDM）、直交FDM（OFDM）、時分割多重（TDM）、時分割多重アクセス（TDMA）、E-TDMA（Extended  TDMA）、GPRS（General  Packet  Radio  Service）、extended  GPRS、CDMA（Code-Division  Multiple  Access）、WCDMA（Wideband  CDMA）、CDMA2000、シングルキャリアCDMA、マルチキャリアCDMA、MDM（Multi-Carrier  Modulation）、DMT（Discrete  Multi-Tone）、Bluetooth（登録商標）、全地球測位システム（GPS）、Wi-Fi、Wi-Max、ZigBee（TM）、UWB（Ultra-Wideband）、GSM（Global  System  for  Mobile  communication）、2G、2.5G、3G、3.5G、EDGE（Enhanced  Data  rates  for  GSM  Evolution）等）と共に使用されてもよい。他の実施例は、様々な他のデバイス、システム及び／又はネットワークで使用されてもよい。
【００１０】
ここで使用される“無線デバイス”という用語は、例えば、無線通信可能なデバイス、無線通信可能な通信デバイス、無線通信可能な通信局、無線通信可能なポータブル又は非ポータブルデバイス等を含む。或る例示の実施例では、無線デバイスは、コンピュータに統合された周辺機器又はコンピュータに取り付けられた周辺機器でもよく、このような周辺機器を含んでもよい。或る例示の実施例では、“無線デバイス”という用語は、任意選択で無線サービスを含んでもよい。
【００１１】
２つ以上の異なる無線通信デバイスへの送信及び／又は２つ以上の無線通信デバイスからの受信を参照してここで使用される“実質的に同時に”という用語は、各送信及び／又は受信の少なくとも一部が同時に生じる２つ以上の送信の送信及び／又は受信を示してもよい。しかし、異なる送信及び／又は受信が同時に開始及び／又は終了しなければならないことを意味するのではないが、そうであってもよい。
【００１２】
或る例示の実施例は、適切な制限された距離又は短距離の無線通信ネットワーク（例えば、無線エリアネットワーク、ピコネット、WPAN、WVAN等）と共に使用されてもよい。他の実施例は、他の適切な無線通信ネットワークと共に使用されてもよい。
【００１３】
或る例示の実施例は、60GHzの周波数帯域で通信する無線通信ネットワークと共に使用されてもよい。しかし、他の実施例は、他の適切な無線周波数帯域（例えばEHF（Extremely  High  Frequency）帯域（ミリメートル波（mmwave）周波数帯域）、例えば30GHzと300GHzとの間の周波数帯域内の周波数帯域、WLAN周波数帯域、WPAN周波数帯域、IEEE802.11、IEEE802.11TGad及び／又はWGA仕様に従った周波数帯域等）を利用して実装されてもよい。
【００１４】
或る例示的な実施例によるシステム100のブロック図を概略的に示す図１を参照する。
【００１５】
図１に示すように、或る例示的な実施例では、システム100は、無線通信媒体（例えば、１つ以上の適切な無線通信リンク（例えば、無線チャネル、IRチャネル、RFチャネル、WiFi（Wireless  Fidelity）チャネル等））で、コンテンツ、データ、情報及び／又は信号を通信可能な１つ以上の無線通信デバイス（例えば、無線通信デバイス102、104、106、107及び／又は108）を含む無線通信ネットワークを含んでもよい。システム100の１つ以上のエレメントは、任意選択で、いずれかの適切な有線通信リンクで通信可能でもよい。
【００１６】
或る例示の実施例では、無線通信デバイス102、104、106、107及び／又は108は、例えば、PC、デスクトップコンピュータ、モバイルコンピュータ、ラップトップコンピュータ、ノートブックコンピュータ、タブレットコンピュータ、サーバコンピュータ、ハンドヘルドコンピュータ、ハンドヘルドデバイス、PDAデバイス、ハンドヘルドPDAデバイス、オンボードデバイス、オフボードデバイス、ハイブリッドデバイス（例えば、セルラ電話機能とPDAデバイス機能との結合）、消費者用デバイス、車両用デバイス、非車両用デバイス、モバイル又はポータブルデバイス、非モバイル又は非ポータブルデバイス、セルラ電話、PCSデバイス、無線通信デバイスを組み込んだPDAデバイス、モバイル又はポータブルGPSデバイス、DVBデバイス、比較的小型のコンピュータデバイス、非デスクトップコンピュータ、CSLL（Carry  Small  Live  Large）デバイス、ウルトラモバイルデバイス（UMD）、ウルトラモバイルPC（UMPC）、モバイルインターネットデバイス（MID）、“Origami”デバイス又はコンピュータデバイス、DCC（Dynamically  Composable  Computing）をサポートするデバイス、コンテキスト認識デバイス、ビデオデバイス、オーディオデバイス、A/Vデバイス、STB、BDプレイヤ、DBレコーダ、DVDプレイヤ、HD  DVDプレイヤ、DVDレコーダ、HD  DVDレコーダ、PVR、放送HD受信機、ビデオソース、オーディオソース、ビデオシンク、オーディオシンク、ステレオチューナ、放送無線受信機、フラットパネルディスプレイ、PMP、DVC、デジタルオーディオプレイヤ、スピーカ、オーディオ受信機、ゲームデバイス、オーディオ増幅器、データソース、データシンク、DSC、メディアプレイヤ、スマートフォン、テレビ、音楽プレイヤ等を含んでもよい。
【００１７】
或る例示の実施例では、無線通信デバイス102は、無線通信ユニット112を含み、例えば以下に説明するように、無線通信デバイス104、106、107及び／又は108と無線通信を実行してもよい。例えば、無線通信デバイス102はまた、１つ以上のプロセッサ114と、入力ユニット116と、出力ユニット118と、メモリユニット120と、記憶ユニット122とを含んでもよい。無線通信デバイス102は、任意選択で他の適切なハードウェアコンポーネント及び／又はソフトウェアコンポーネントを含んでもよい。或る例示の実施例では、無線通信デバイス102のコンポーネントの一部又は全部は、共通の筐体又はパッケージに入れられてもよく、１つ以上の有線又は無線リンクを使用して相互接続又は動作可能に関連付けされてもよい。他の実施例では、無線通信デバイス102のコンポーネントは、複数又は別々のデバイスの間に分散されてもよい。
【００１８】
プロセッサ114は、例えば、中央処理ユニット（CPU）、デジタルシグナルプロセッサ（DSP）、１つ以上のプロセッサコア、単一コアのプロセッサ、デュアルコアのプロセッサ、マルチコアのプロセッサ、マイクロプロセッサ、ホストプロセッサ、コントローラ、複数のプロセッサ若しくはコントローラ、チップ、マイクロチップ、１つ以上の回路、回路構成、論理ユニット、集積回路（IC）、特定用途向けIC（ASIC）、又は他の適切な多用途若しくは特有のプロセッサ若しくはコントローラを含む。プロセッサ114は、例えば、無線通信デバイス102のオペレーティングシステム（OS）及び／又は１つ以上の適切なアプリケーションの命令を実行する。
【００１９】
入力ユニット116は、例えば、キーボード、キーパッド、マウス、タッチパッド、トラックボール、スタイラス、マイクロフォン又は他の適切なポインティングデバイス若しくは入力デバイスを含む。出力ユニット118は、例えば、モニタ、スクリーン、フラットパネルディスプレイ、陰極線管（CRT）ディスプレイユニット、液晶ディスプレイ（LCD）ディスプレイユニット、プラズマディスプレイユニット、１つ以上のオーディオスピーカ若しくはイヤホン、又は他の適切な出力デバイスを含む。
【００２０】
メモリユニット120は、例えば、ランダムアクセスメモリ（RAM）、読み取り専用メモリ（ROM）、ダイナミックRAM（DRAM）、シンクロナスDRAM（SDRAM）、フラッシュメモリ、揮発性メモリ、不揮発性メモリ、キャッシュメモリ、バッファ、短期記憶ユニット、長期記憶ユニット、又は他の適切なメモリユニットを含む。記憶ユニット122は、例えば、ハードディスクドライブ、フロッピー（登録商標）ディスクドライブ、コンパクトディスク（CD）ドライブ、CD-ROMドライブ、DVDドライブ、又は他の適切な取り外し可能若しくは取り外し不可能記憶ユニットを含む。メモリユニット120及び／又は記憶ユニット122は、例えば、無線通信デバイス102により処理されるデータを格納してもよい。
【００２１】
或る例示の実施例では、無線通信ユニット112は、例えば、無線通信信号、RF信号、フレーム、ブロック、送信ストリーム、パケット、メッセージ、データ項目及び／又はデータを送信及び／又は受信可能な１つ以上の無線送信機、受信機及び／又はトランシーバを含む。例えば、無線通信ユニット1112は、無線ネットワークインタフェースカード（NIC）等を含んでもよく、無線NIC等の一部として実装されてもよい。
【００２２】
無線通信ユニット112は、１つ以上のアンテナ124を含んでもよく、これらに関連付けられてもよい。アンテナ124は、例えば、内部及び／又は外部RFアンテナ、ダイポールアンテナ、モノポールアンテナ、無指向性アンテナ、エンドフェッドアンテナ（end  fed  antenna）、円偏波アンテナ、マイクロストリップアンテナ、ダイバーシチアンテナ、又は無線通信信号、ブロック、フレーム、送信ストリーム、パケット、メッセージ及び／又はデータを送信及び／又は受信するのに適した他の種類のアンテナを含んでもよい。
【００２３】
或る例示の実施例では、システム100の無線通信デバイスは、いずれかの適切なアクセス方式（例えば、適切なコンテンションに基づくアクセス方式（例えば、ランダムアクセス方式））に従って無線通信媒体110で通信してもよい。例えば中央の調整を必要とせずに１つ以上の他のネットワークとの共存を可能にするために、例えば、システム100は、ランダムアクセス方式に従って動作し得る無免許の周波数帯域で通信する無線ネットワーク（例えば、無線ローカルエリアネットワーク（LAN：Local-Area-Network）を含んでもよい。コンテンションに基づく方式は、例えばいずれかの適切なキャリア検知多重アクセス（CSMA：Carrier-Sense-Multiple-Access）方式、例えばいずれかの適切なCSMA衝突回避（CSMA/CA：CSMA-with-Collision-Avoidance）方式（例えばIEEE802.11標準及び／又は他の適切な標準に従う）を含んでもよい。
【００２４】
或る例示の実施例では、システム100の少なくとも１つの無線通信デバイス（例えば、無線通信デバイス102）は、アクセスポイント（AP：Access  Point）、コントロールポイント（CP：Control  Point）、基地局（BS：Base  Station）、又は例えばIEEE802.11及び／又はWGA仕様に規定されたようないずれかのコーディネータ若しくはコントローラの機能を実行してもよい。
【００２５】
或る例示の実施例では、無線通信ユニット112は、システム100の２つ以上の他のデバイスに対する送信を同時に送信可能でもよく、システム100の２つ以上の他のデバイスからの送信を同時に受信可能でもよい。
【００２６】
或る例示の実施例では、無線通信ユニット112は、空間分割多重アクセス（SDMA：Spatial  Division  Multiple  Access）通信を実行可能でもよい。例えば、無線通信ユニット112は、アンテナ124を介して実質的に同時に異なる信号を送信することにより、下りリンクSDMA送信を送信してもよく、これにより、組み合わされた送信信号は、システム100の２つ以上の他の無線通信デバイスにより受信されることを意図する組み合わされた送信信号が実質的に同じ周波数で異なる方向に送信されることを生じる。
【００２７】
或る例示の実施例では、無線通信ユニット112は、システム100の２つ以上の他のデバイスから異なる信号を含む上りリンクSDMA送信を受信してもよい。
【００２８】
或る実施例では、例えば以下に詳細に説明するように、無線通信ユニット112は、システム100の複数の無線通信デバイスの少なくとも１つのグループ130と媒体110で通信してもよい。
【００２９】
或る例示の実施例では、グループ130は、無線通信ユニット112との同時の下りリンク及び／又は上りリンク無線通信に適し得る複数の無線通信デバイス（例えば、無線通信デバイス104、106及び／又は107）を含んでもよい。例えば、グループ130は、例えば以下に説明するように、無線通信ユニット112との一方向（例えば、デバイス102への上りリンク方向及び／又はデバイス102からの下りリンク方向）及び／又は双方向通信に適したデバイスのSDMAグループを含んでもよい。
【００３０】
或る例示の実施例では、グループ130の無線通信デバイスは、例えば無線通信ユニット112により、いずれかの適切な基準（例えば、１つ以上のトラヒック仕様（TSPEC：traffic-specification）要件、例えばサービス品質要件、帯域幅要件、トラヒックパターン要件等及び／又は他の適切な要件及び／又はパラメータ）に従って一緒にグループ化されてもよい。
【００３１】
或る例示の実施例では、無線通信ユニット112は、ADDTS（Add  Traffic  Stream）要求フレームの一部として、無線通信デバイス104、166及び／又は107に対応するTSPEC情報を受信可能でもよい。無線通信デバイスから受信したADDTSフレームは、適切なTSPEC情報エレメント（IE：Information  Element）及び／又はフィールドを含んでもよく、適切なTSPEC  IE及び／又はフィールドは、無線通信デバイスに対応するTSPEC情報を含んでもよい。他の実施例では、無線通信ユニット112は、他の適切なフレーム及び／又は通信の一部として及び／又は他の適切なフォーマットでTSPEC情報を受信してもよい。
【００３２】
或る例示の実施例では、無線通信ユニット112により受信される無線通信デバイスに対応するTSPEC情報は、無線通信デバイスと無線通信ユニット112との間のトラヒックフローを規定するトラヒックフロー情報を含んでもよい。無線通信デバイスに対応するTSPEC情報は、例えば、トラヒックフローのトラヒックパターン、トラヒックフローのサービス品質（QoS：Quality  of  Service）、及び／又はトラヒックフローの他の一連の要件、パラメータ、特性及び／又は予想を含んでもよい。例えば、無線通信ユニット112は、トラヒックフロー情報（例えば、無線通信デバイス104と無線通信ユニット112との間のトラヒックフローを規定するトラヒックパターン及び／又はQoS）を含む第１のADDTSフレームを無線通信デバイス104から受信してもよく、トラヒックフロー情報（例えば、無線通信デバイス106と無線通信ユニット112との間のトラヒックフローを規定するトラヒックパターン及び／又はQoS）を含む第２のADDTSフレームを無線通信デバイス106から受信してもよく、及び／又は、トラヒックフロー情報（例えば、無線通信デバイス107と無線通信ユニット112との間のトラヒックフローを規定するトラヒックパターン及び／又はQoS）を含む第３のADDTSフレームを無線通信デバイス107から受信してもよい。
【００３３】
或る例示の実施例では、無線通信デバイスから無線通信ユニット112により受信されたTSPEC情報は、無線通信デバイスと無線通信ユニット112との間のトラヒックフローの方向を含んでもよい。トラヒックフローの方向は、例えば、トラヒックフローのトラヒックパターンに基づいて判定されてもよい。例えば、トラヒックフローの方向は、上りリンクトラヒックフロー（例えば、無線通信デバイスから無線通信ユニット112への上りリンク送信を含む）、下りリンクトラヒックフロー（例えば、無線通信ユニット112から無線通信デバイスへの下りリンク送信を含む）、又は双方向トラヒックフロー（例えば、上りリンク送信と下りリンク送信との双方を含む）を含んでもよい。
【００３４】
或る例示の実施例では、例えば、トラヒックフローのQoSは、例えばトラヒックフローの優先度タイプ（例えば、特定のレベルの性能を保証する）を表すQoSパラメータを含んでもよい。トラヒックフローの優先度タイプは、例えば、所定の優先度タイプのセットから選択されてもよい。一例では、トラヒックフローのQoSは、例えば802.11標準及び／又は他の適切な標準により規定された４つの所定の優先度タイプ（例えば、ビデオ優先度タイプ、オーディオ（音声）優先度タイプ、ベストエフォート優先度タイプ及びバックグラウンド優先度タイプ）のセットから選択されてもよい。
【００３５】
或る例示の実施例では、無線通信デバイスに対応するトラヒックフローは、例えばトラヒックフローが時間依存のトラヒックフローを含む場合（例えば、ビデオ及び／又は音声データを含む場合）、等時性トラヒックフローとして分類されてもよく、及び／又は、例えばトラヒックフローが時間依存ではない場合（例えば、トラヒックフローがビデオ又は音声データを含まない場合）、非同期トラヒックフローとして分類されてもよい。
【００３６】
或る例示の実施例では、無線通信ユニット112は、無線通信デバイス104、106及び／又は107に対応するトラヒックフローの分類及び／又は方向に基づいて、無線通信デバイス104、106及び／又は107を１つ以上のグループ（例えば、グループ130を含む）に割り当ててもよい。
【００３７】
或る例示の実施例では、無線通信ユニット112は、無線通信デバイス104、106及び／又は107を、上りリンク等時性グループ、下りリンク等時性グループ、双方向等時性グループ及び／又は双方向非同期グループに割り当ててもよい。他の実施例では、無線通信ユニット112は、無線通信デバイス104、106及び／又は107を他の適切なグループに割り当ててもよい。
【００３８】
或る例示の実施例では、無線通信ユニット112は、例えば無線通信デバイスに対応するTSPEC情報がビデオ及び音声データのうち少なくとも１つを含む上りリンクトラヒックパターンを表す場合、デバイス104、106、及び107のうち無線通信デバイスを上りリンク等時性グループに割り当ててもよく、無線通信ユニット112は、例えば無線通信デバイスに対応するTSPEC情報がビデオ及び音声データのうち少なくとも１つを含む下りリンクトラヒックパターンを表す場合、無線通信デバイスを下りリンク等時性グループに割り当ててもよく、無線通信ユニット112は、無線通信デバイスに対応するTSPEC情報がビデオ及び音声データのうち少なくとも１つを含む双方向リンクトラヒックパターンを表す場合、無線通信デバイスを双方向等時性グループに割り当ててもよく、及び／又は、無線通信ユニット112は、無線通信デバイスに対応するTSPEC情報が他のトラヒックパターンを表す場合、無線通信デバイスを双方向非同期グループに割り当ててもよい。
【００３９】
無線通信デバイスに対応するTSPEC情報に基づいて無線通信デバイスをグループに割り当てることに関して、或る実施例について説明しているが、他の実施例は、他の適切な基準に基づいてグループに割り当てられた１つ以上の無線通信デバイスを含んでもよい。
【００４０】
或る例示の実施例では、無線通信ユニット112は、無線通信デバイス104、106及び107をグループ130に割り当て、グループ130を規定する適切なグループ割り当て情報及び／又はグループ130に関する適切なグループ割り当て情報を無線通信デバイス104、106及び／又は107に提供してもよい。
【００４１】
或る例示の実施例では、無線通信ユニット112は、無線通信アドレス（“グループアドレス”又は“マルチキャストアドレス”とも呼ばれる）をグループ130に割り当ててもよい。グループ130に割り当てられたグループアドレスは、例えば、適切な媒体アクセス制御（MAC：Media-Access-Control）アドレスを含んでもよい。適切な媒体アクセス制御（MAC）アドレスは、例えば、システム100内で一意に割り当てられてもよく、及び／又はBSS（Basic-Service-Set）制御されてもよく、及び／又は無線通信ユニット112により管理されてもよい。
【００４２】
或る例示の実施例では、無線通信ユニット112は、例えばいずれかの適切な送信、フレーム及び／又はパケットを使用して、グループ130に割り当てられたグループアドレスを無線通信デバイス104、106及び／又は107に通知してもよい。例えば、無線通信ユニット112は、１つ以上のユニキャストフレームを無線通信デバイス104、106及び／又は107に送信してもよく、例えば、無線通信デバイス104にアドレス指定された第１のグループ割り当てフレームを送信してもよく、無線通信デバイス106にアドレス指定された第２のグループ割り当てフレームを送信してもよく、及び／又は、無線通信デバイス107にアドレス指定された第６のグループ割り当てフレームを送信してもよい。第１、第２及び第３のグループ割り当てフレームは、例えばグループ130のグループアドレスを含んでもよい。
【００４３】
或る例示の実施例では、無線通信ユニット112は、例えばいずれかの適切な基準に基づいて、無線通信デバイス104、106及び／又は107が無線通信ユニット112からの送信に応答する順序を判定してもよく、これにより、例えば、無線通信デバイス104、106及び／又は107は、例えば以下に説明するように、重複しない期間中に応答してもよい。例えば、無線通信ユニット112は、無線通信デバイス106が無線通信ユニット112からの送信後の第１のオフセット時間に無線通信ユニット112からの送信に応答することを判定してもよく、無線通信デバイス104が送信後の第１のオフセット時間より長い第２のオフセット時間に無線通信ユニット112からの送信に応答することを判定してもよく、及び／又は、無線通信デバイス107が送信後の第２のオフセット時間より長い第３のオフセット時間に無線通信ユニット112からの送信に応答することを判定してもよい。第２及び第１のオフセット時間の間の差及び／又は第３及び第２のオフセット時間の間の差は、例えば無線通信デバイス104、106及び107が重複しない期間中に応答可能なように、無線通信デバイス104及び／又は106からの応答の持続時間に少なくとも等しくてもよい。
【００４４】
或る例示の実施例では、無線通信ユニット112は、例えばグループ割り当てフレームに要求された順序の指示を含めてもよい。例えば、グループ割り当てフレームは、要求された順序に従って、例えば無線通信デバイス104、106及び107を表す適切な関連付け識別子（AID：Association  Identifier）及び／又は適切なMACアドレスの形式の値を含めてもよい。例えば無線通信デバイス106が無線通信デバイス104からの応答の前に無線通信ユニット112に応答し、無線通信デバイス104が無線通信デバイス107からの応答の前に無線通信ユニット112に応答する場合、例えば、グループ割り当てフレームは、無線通信デバイス106のMACアドレスを表す値を含んでもよく、それに続いて無線通信デバイス104のMACアドレスを表す値を含んでもよく、次に無線通信デバイス107のMACアドレスを表す値が続いてもよい。
【００４５】
或る例示の実施例では、無線通信デバイス104、106及び／又は107は、要求された順序の指示に基づいて、無線通信ユニット112に応答する順序をそれぞれ判定してもよい。
【００４６】
或る実施例では、無線通信デバイス104、106及び／又は107は、例えば無線通信デバイス112が応答を受信できるように、無線通信デバイス104、106及び／又は107が応答の送信をスケジューリングすることを可能にするために、無線通信ユニット112からの送信のデータレートに等しいデータレートで応答を送信してもよい。
【００４７】
他の実施例では、無線通信デバイス104、106及び／又は107は、無線通信ユニット112との通信のために選択された所定のデータレートで応答を送信してもよい。一例では、無線通信デバイス104、106及び／又は107は、システム100での通信のために実装されたデータレートの所定のセット（例えば、IEEE802.11標準により規定されたBSSBasicRateSet）から選択されたデータレートで応答を送信してもよい。例えば、無線通信デバイス104、106及び／又は107は、無線通信ユニット112から受信した直前のフレームのレート以下であるBSSBasicRateSetの最高のデータレートで応答を送信してもよい。
【００４８】
或る例示の実施例では、無線通信ユニット112は、例えば、グループ130を規定する情報及び／又はグループ130に関する情報を無線通信デバイス104、106及び／又は107に直接的に提供せずに、無線通信デバイス104、106及び／又は107をグループ130に割り当ててもよい。この例によれば、例えば、１つ以上の無線通信デバイスが上りリンクSDMA送信を無線通信ユニット112に送信する必要がない場合及び／又は送信できない場合、例えば、グループ130の無線通信デバイスのうち１つ以上がグループ130の他のデバイスへの同時送信を認識せずに、無線通信ユニット112は、下りリンク送信をグループ130のデバイスに同時に送信してもよい。例えば、無線通信デバイス107が上りリンクSDMA送信を無線通信ユニット112に送信する必要がない場合及び／又は送信できない場合、当該下りリンク送信が下りリンク送信であるという事実を無線通信デバイスが認識することなく、例えば、無線通信ユニット112は、下りリンクSDMA送信を無線通信デバイス（例えば、デバイス107）に送信してもよい。
【００４９】
或る例示の実施例では、例えば以下に詳細に説明するように、無線通信ユニット112は、無線通信ユニット112が２つ以上の異なる無線通信送信をグループ130の２つ以上の無線通信デバイスにそれぞれ同時に送信する期間について、無線通信媒体110を予約してもよい。
【００５０】
或る例示の実施例に従って無線通信デバイス（例えば、無線通信デバイス102（図１）及び／又は無線通信ユニット112（図１））と他の無線通信デバイスのグループ（例えば、グループ130（図１））との間の送信シーケンスを概略的に示す図２を参照する。
【００５１】
図２に示すように、時系列202は、無線通信デバイス（例えば、無線通信ユニット112（図１））による送信を含み、時系列204は、グループの第１の無線通信デバイス（例えば、無線通信デバイス104（図１））による送信を含み、時系列206は、グループの第２の無線通信デバイス（例えば、無線通信デバイス106（図１））による送信を含み、時系列208は、グループの第３の無線通信デバイス（例えば、無線通信デバイス107（図１））による送信を含む。
【００５２】
或る例示の実施例では、無線通信ユニット112（図１）は、無線通信ユニット112（図１）が２つ以上の異なる無線通信送信214をグループ130の２つ以上の無線通信デバイスにそれぞれ同時に送信する少なくとも期間215について、無線通信媒体110（図１）を予約してもよい。
【００５３】
或る例示の実施例では、送信214は、それぞれ無線通信デバイス104、106及び／又は07により受信される、data1、data2及びdata3として示す３つのデータパケット（例えば、異なるデータパケット）（例えば、３つの集約MACプロトコルデータユニット（AMPDU：aggregate  MAC  protocol  data  unit））を含むSDMA送信の一部として送信されてもよい。一例では、３つのデータパケットdata1、data2及びdata3は、異なる長さのデータパケットを含んでもよい。この例によれば、予約された持続時間215は、少なくとも最も長いデータパケットの長さに対応してもよい。
【００５４】
或る例示の実施例では、例えば以下に説明するように、予約された期間215は、少なくとも送信214の送信持続時間、及び／又は送信214に関連するいずれか１つ以上の上りリンク及び／又は下りリンク送信（例えば、送信214の受信を確認及び／又は承諾する１つ以上の上りリンク及び／又は下りリンク送信）を含んでもよい。
【００５５】
或る例示の実施例では、無線通信ユニット112（図１）は、少なくとも１つの送信要求（RTS：Request-To-Send）パケット219をグループ130（図１）の１つ以上の無線通信デバイスに送信することにより、第１の予約方式212に従って媒体110（図１）を予約してもよい。RTSパケット219は、予約される期間215に対応する持続時間値を含んでもよい。例えば、RTSパケット219の持続時間フィールドは、無線通信ユニット112（図１）により、予約される期間215に対応する値を含むように設定されてもよい。
【００５６】
或る例示の実施例では、無線通信ユニット112（図１）は、グループ130（図１）の無線通信デバイスにアドレス指定されたRTSパケット219を送信してもよい。例えば、無線通信ユニット112（図１）は、例えば前述のように、グループアドレスを無線通信デバイス104、106及び／又は107に通知した後に、例えば、グループ130に割り当てられたグループアドレスを含むRTSパケット219を送信してもよい。
【００５７】
或る例示の実施例では、無線通信ユニット112（図１）は、例えばRTSパケット219に応じて、グループ130（図１）の１つ以上の無線通信デバイスから１つ以上の送信可（CTS：clear-to-send）パケットを受信してもよい。例えば、無線通信ユニット112（図１）は、無線通信デバイス104（図１）から第１のCTSパケット222を受信してもよく、無線通信デバイス106（図１）から第２のCTSパケット224を受信してもよい。図２に示すように、一例では、無線通信ユニット112（図１）は、例えば衝突、干渉及び／又は他の理由のため、グループ130（図１）の１つ以上のデバイスから（例えば、無線通信デバイス107（図１）から）CTSパケットを受信しなくてもよい。
【００５８】
図２に示すように、或る例示の実施例では、例えば、無線通信デバイス104及び／又は106が上りリンクSDMA送信をサポートする場合、CTSパケット222及び224は、無線通信デバイス104及び106（図１）により実質的に同時に送信されてもよく、及び／又は、CTSパケット222及び224は、無線通信ユニット112（図１）により実質的に同時に受信されてもよい。
【００５９】
或る例示の実施例では、CTSパケット222及び224は、互いに同一でもよい。例えば、無線通信デバイス104及び106の双方は、共通のスクランブルシード（scrambling  seed）（例えば、RTSパケット219のスクランブルシード）を使用して、それぞれCTSパケット222及び224を生成してもよい。
【００６０】
或る例示の実施例では、無線通信ユニット112（図１）は、CTSパケット222及び224を受信及び復号化してもよい。グループ130（図１）に属さないシステム100（図１）の無線通信デバイス（例えば、無線通信デバイス108（図１））は、CTSパケット222及び／又は224を受信してもよい。CTSパケット222及び224は互いに同一でもよいため、無線通信デバイスは、例えば、パケット222及び224がマルチパス効果から生じたものと仮定して、CTSパケット222及び224を復号化してもよい。
【００６１】
或る例示の実施例では、CTSパケット222及び／又は224を受信するシステム100（図１）の他の無線通信デバイス（例えば、グループ130（図１）の無線通信デバイス（例えば、無線通信デバイス107）及び／又はグループ130（図１）に含まれない無線通信デバイス（例えば、無線通信デバイス108（図１）））は、予約された期間215の間に無線通信媒体110（図１）で送信を実行することを回避してもよい。
【００６２】
或る例示の実施例では、無線通信ユニット112（図１）は、送信214をグループ130の２つ以上の無線通信デバイス（２つ以上のアドレス指定されたデバイス）に同時に送信してもよい。２つ以上のアドレス指定されたデバイスは、無線通信ユニット112（図１）が２つ以上のCTSパケットをそれぞれ受信したグループ130（図１）の２つ以上の無線通信デバイスを含んでもよい。例えば、無線通信ユニット112（図１）がCTSパケット222及び224を受信した場合、無線通信ユニット112（図１）は、例えばCTSパケットが無線通信ユニット112（図１）により受信されていない無線通信デバイス107（図１）を対象としたデータパケットdata3を含めずに、それぞれ無線通信デバイス104及び106（図１）を対象としたデータパケットdata1及びdata2を含む送信214を送信してもよい。
【００６３】
或る例示の実施例では、無線通信ユニット112（図１）は、予約される期間215に対応する持続時間値を含むデータパケット218をグループ130の無線通信デバイスのうち少なくとも１つ（例えば、無線通信デバイス107（図１））に送信することにより、第２の予約方式210に従って媒体110（図１）を予約してもよい。例えば、データパケット218の持続時間フィールドは、無線通信ユニット112（図１）により、予約される期間215に対応する値を含むように設定されてもよい。無線通信デバイス107（図１）は、適切な受信確認（ACK：acknowledgement）パケット220で応答してもよい。その結果、データパケット218及び／又はACK220を受信するシステム110（図１）の他の無線通信デバイス（例えば、グループ130（図１）の無線通信デバイス（例えば、無線通信デバイス104及び／又は106）及び／又はグループ130（図１）に含まれない無線通信デバイス（例えば、無線通信デバイス108（図１）））は、予約された期間215の間に無線通信媒体110（図１）で送信することを回避してもよい。
【００６４】
或る例示の実施例では、無線通信ユニット112（図１）は、送信214をグループ130（図１）の２つ以上のアドレス指定された無線通信デバイスに同時に送信してもよい。例えば、無線通信ユニット112（図１）は、データパケットdata1、data2及びdata3の同時送信を含む送信214を、それぞれ無線通信デバイス104、106及び107（図１）に送信してもよい。
【００６５】
或る例示の実施例では、無線通信ユニット112（図１）は、少なくとも１つのブロック受信確認要求（BAR：block-acknowledgement-request）216を２つ以上のアドレス指定されたデバイスに送信してもよい。一実施例では、無線通信ユニット112（図１）は２つ以上のアドレス指定されたデバイスへの下りリンクSDMA送信の一部として、BAR216を同時に送信してもよい。他の実施例では、無線通信ユニット112（図１）は、それぞれ２つ以上のアドレス指定されたデバイスへの２つ以上の別々のユニキャスト送信の一部として、BAR216を送信してもよい。
【００６６】
或る例示の実施例では、無線通信ユニット112（図１）は、２つ以上のアドレス指定されたデバイスから２つ以上のそれぞれのブロック受信確認（BA：block-acknowledgement）を受信してもよい。例えば、無線通信ユニット112（図１）は、無線通信デバイス104、106及び／又は107（図１）への下りリンクSDMA送信の一部として、BAR216を送信してもよく、これに応じて、無線通信ユニット112（図１）は、無線通信ユニット104（図１）からBA232を受信してもよく、無線通信ユニット106（図１）からBA234を受信してもよく、及び／又は、無線通信ユニット107（図１）からBS236を受信してもよい。
【００６７】
図２に示すように、無線通信デバイス104、106及び／又は107（図１）は、上りリンクSDMA送信を実行可能でもよい。例えば、図２に示すように、CTSパケット222及び224は、無線通信デバイス104及び106（図１）により実質的に同時に送信されてもよく、CTSパケット222及び224は、無線通信ユニット112（図１）により実質的に同時に受信されてもよい。BA232、BA234及び236は、それぞれ無線通信デバイス104、106及び107（図１）により実質的に同時に送信されてもよく、及び／又は、BA232及び234は、無線通信ユニット112（図１）により実質的に同時に受信されてもよい。しかし、他の実施例では、例えば以下に説明するように、無線通信デバイス104、106及び／又は107（図１）からの上りリンク送信は、順次に実行されてもよい。
【００６８】
或る例示の実施例では、例えば、無線通信デバイス104、106及び／又は107（図１）がSDMA上りリンク送信をサポートしない場合、無線通信ユニット112（図１）は、無線通信デバイス104、106及び／又は107（図１）が無線通信ユニット112（図１）からの送信に応答する順序（応答順序）を判定してもよい。無線通信ユニット112（図１）は、前述のように、例えばグループ割り当てフレームを使用して、応答順序を無線通信デバイス104、106及び／又は107（図１）に通知してもよい。他の実施例では、無線通信デバイス104、106及び／又は107（図１）が無線通信ユニット112（図１）からの送信に応答する応答順序は、他の適切な基準及び／又は方式に従って判定され、及び／又は無線通信デバイス104、106及び／又は107（図１）に提供されてもよい。
【００６９】
或る例示の実施例では、例えば応答順序に従って、無線通信ユニット104及び／又は106（図１）は、それぞれCTSパケット222及び224を順次に送信してもよく、及び／又は、無線通信ユニット104、106及び／又は107（図１）は、それぞれBAパケット232、234及び236を順次に送信してもよい。例えば、無線通信ユニット112（図１）は、それぞれCTSパケット222及び224を送信するために、第１の応答期間を無線通信デバイス104（図１）に割り当ててもよく、第１の期間に続く第２の応答期間を無線通信デバイス106に割り当ててもよい。例えば、第２の応答期間の開始は、CTSパケット送信とSIFS（short-inter-frame-space）との組み合わせの持続時間及び／又は他の期間だけ、第１の応答期間の開始に対して遅れてもよい。従って、無線通信デバイス104（図１）は、第１の応答期間の間にCTSパケット222を送信してもよく、無線通信デバイス106（図１）は、第２の期間の間にCTSパケット224を送信してもよい。これにより、CTSパケット222及び224の送信が重複しない。同様に、無線通信デバイス107（図１）が無線通信デバイス106（図１）の後に応答し、無線通信デバイス106（図１）が無線通信デバイス104（図１）の後に応答することを応答順序が規定する場合、無線通信ユニット106（図１）は、BA232の送信の開始の後のBA遅延（例えば、BA送信とSIFSとの組み合わせの持続時間に等しい）においてBA234の送信を開始してもよく、及び／又は、無線通信ユニット107（図１）は、BA234の送信の開始の後のBAにおいてBA236の送信を開始してもよい。従って、無線通信デバイス104、106及び／又は107（図１）は、BA232、234及び236の送信が重複しないように、それぞれBA232、234及び／又は236を順次に送信してもよい。
【００７０】
或る例示の実施例では、無線通信ユニット112（図１）は、送信214の最も長い送信の持続時間の指示を、送信214の１つ以上（例えば、送信214のそれぞれ）に含めてもよい。例えば、無線通信ユニット112（図１）は、データパケットdata1、data2及びdata3のうち最も長いものの持続時間の指示を、データパケットdata1、data2及びdata3のそれぞれに含めてもよい。一例では、送信214は、AMPDUを含み、無線通信ユニット112（図１）は、最も長いAMPDUの持続時間の指示を、AMPDUのそれぞれに（例えば、L-SIGフィールドに）含めてもよい。従って、無線通信デバイス104、106及び107（図１）のそれぞれは、いつ送信214が終了するかを判定してもよい。送信214の終了時に、無線通信デバイス104、106及び／又は107（図１）は、例えばBAR216を受信する必要なく、それぞれBA232、234及び／又は236を送信してもよい。例えば前述のように、無線通信デバイス104、106及び107（図１）は、例えば上りリンクSDMAがサポートされている場合、それぞれBA232、234及び／又は236を同時に送信してもよく、例えば上りリンクSDMAがサポートされていない場合、順次に送信してもよい。
【００７１】
或る例示の実施例では、無線通信ユニット112（図１）は、グループ130（図１）の或る無線通信デバイス（選択されたデバイス）のみを対象として、ERTS（Extended  RTS）の形式で、例えば無線通信ユニット112（図１）がトラヒックをバッファに入れているRTSパケット219を送信してもよい。ERTSパケットはまた、選択されたデバイスの応答順序を示してもよい。従って、無線通信ユニット112（図１）は、例えば応答順序に従って、選択されたデバイスのみからCTSパケットを受信してもよく、送信214を対象のデバイスに送信してもよい。無線通信ユニット112（図１）は、選択されたデバイスのみからのBA送信をスケジューリングするために、EBAR（Extended  BAR）を送信してもよい。
【００７２】
図１に戻り、或る例示の実施例では、無線通信ユニット112は、２つ以上のデバイス104、106及び107との少なくとも１つの同時送信の交換を含むビームフォーミングトレーニングシーケンス（beamforming  training  sequence）を実行することにより、デバイス104、106及び／又は107と通信するためのビームフォーミング（BF：beamforming）方式を判定してもよい。ビームフォーミングトレーニングシーケンスは、例えば以下に説明するように、暗示的なビームフォーミングシーケンスと、明示的なビームフォーミングシーケンスとを含んでもよい。
【００７３】
或る例示の実施例に従って無線通信デバイス（例えば、無線通信デバイス102（図１）及び／又は無線通信ユニット112（図１））と他の無線通信デバイスのグループ（例えば、グループ130（図１））との間の他の送信シーケンスを概略的に示す図３を参照する。
【００７４】
図３に示すように、時系列302は、無線通信デバイス（例えば、無線通信ユニット112（図１））による送信を含み、時系列304は、グループの第１の無線通信デバイス（例えば、無線通信デバイス104（図１））による送信を含み、時系列306は、グループの第２の無線通信デバイス（例えば、無線通信デバイス106（図１））による送信を含み、時系列308は、グループの第３の無線通信デバイス（例えば、無線通信デバイス107（図１））による送信を含む。
【００７５】
或る例示の実施例では、無線通信ユニット112（図１）は、少なくとも１つのビームフォーミングトレーニング開始フレーム310をグループ130（図１）の２つ以上の無線通信デバイスに送信してもよい。無線通信ユニット112（図１）は、２つ以上の無線通信デバイスから２つ以上のフィードバックフレームを受信してもよい。例えば、無線通信ユニット112（図１）は、それぞれ無線通信デバイス104、106及び／又は107（図１）からフィードバックフレーム312、314及び／又は316を受信してもよい。
【００７６】
或る例示の実施例では、無線通信ユニット112（図１）は、２つ以上のフィードバックフレームに基づいて２つ以上のビームフォーミング方式を判定してもよい。例えば、無線通信ユニット112（図１）は、それぞれフィードバックフレーム312、314及び／又は316に基づいて無線通信デバイス104、106及び／又は107（図１）と通信するために使用されるビームフォーミング方式を判定するための如何なる適切なビームフォーミングトレーニング及び／又は検出方法を実装してもよい。
【００７７】
或る例示の実施例では、開始フレーム310及びフィードバックフレーム312、314及び／又は316は、暗示的なビームフォーミングトレーニングシーケンスの一部として交換されてもよい。例えば、開始フレーム310は、トレーニング要求（TRQ：Training  Request）（サウンディング（sounding）要求とも呼ばれる）を含んでもよく、及び／又は、フィードバックフレーム312、314及び／又は316は、適切なチャネルサウンディングフレームを含んでもよい。一実施例では、開始フレーム310は、如何なる適切な管理、制御及び／又はデータフレームを含んでもよく、管理、制御及び／又はデータフレームは、開始フレーム310がTRQとして扱われることを示す所定の値（例えば1）に設定されたTRQビットを含んでもよい。
【００７８】
或る例示の実施例では、開始フレーム310及びフィードバックフレーム312、314及び／又は316は、明示的なビームフォーミングトレーニングシーケンスの一部として交換されてもよい。例えば、開始フレーム310は、適切なチャネルサウンディングフレームを含んでもよく、及び／又は、フィードバックフレーム312、314及び／又は316は、サウンディングフレームに応じたビームフォーミングフィードバックフレームを含んでもよい。
【００７９】
或る例示の実施例では、無線通信ユニット112（図１）は、例えば前述のように、グループ130（図１）に割り当てられたグループアドレスを含む開始フレーム310を送信してもよい。例えば、開始フレーム310は、例えば前述のように、グループ130（図１）の無線通信デバイスに割り当てられた応答順序を含む拡張フレーム（例えば、ETRQ（Extended  TRQ））の形式で送信され、フィードバックフレーム312、314及び／又は316が順次に送信される順序を無線通信デバイス104、106及び／又は107（図１）に通知してもよい。無線通信デバイス104、106及び／又は107（図１）は、適切なサウンディングフレームを含むフィードバックフレーム312、314及び／又は316を送信することにより、開始フレーム310に応答してもよい。
【００８０】
或る例示の実施例では、無線通信ユニット112（図１）は、例えばユニキャスト送信の一部として、個々の開始フレーム310を無線通信デバイス104、106及び／又は107（図１）のそれぞれに送信してもよい。
【００８１】
或る例示の実施例では、無線通信ユニット112（図１）は、それぞれ２つ以上のビームフォーミング方式を使用して、２つ以上の異なる無線通信送信318をそれぞれ２つ以上の無線通信デバイスに送信してもよい。例えば、無線通信ユニット112（図１）は、例えば前述のように、SDMA方式の一部として送信318を送信してもよい。一例では、無線通信ユニット112（図１）は、例えば前述のように、送信318に続いてBAR320を送信してもよく、及び／又は、BAR320に応じてBA322、324及び／又は326を受信してもよい。
【００８２】
或る例示の実施例に従って無線通信デバイスのグループと同時に通信する方法を概略的に示す図４を参照する。或る実施例では、図４の方法の１つ以上の動作は、システム100（図１）及び／又は１つ以上のデバイス102、104、106、107及び／又は108（図１）により実行されてもよい。
【００８３】
ブロック402に示すように、この方法は、無線通信ユニットにより、期間について無線通信媒体を予約することを含んでもよい。例えば、無線通信ユニット112（図１）は、例えば前述のように無線通信媒体110（図１）を予約してもよい。
【００８４】
ブロック406に示すように、或る実施例では、無線通信媒体を予約することは、少なくとも１つのRTSパケットをグループの１つ以上の無線通信デバイスに送信することを含んでもよい。送信要求パケットは、予約される期間に対応する持続時間値を含む。例えば、無線通信ユニット112（図１）は、例えば前述のように、RTSパケット219（図２）を送信してもよい。RTSパケットは、例えば前述のように、無線通信デバイスのグループに割り当てられたグループアドレスを含んでもよい。
【００８５】
ブロック408に示すように、この方法は、送信要求パケットに応じて２つ以上の無線通信デバイスから２つ以上のCTSパケットを受信した後に、送信を２つ以上の無線通信デバイスに送信することを含んでもよい。例えば、無線通信ユニット112（図１）は、例えば前述のように、CTSパケット222及び224（図２）を受信した後に、送信214（図２）を送信してもよい。例えば前述のように、２つ以上のCTSパケットは同一でもよい。
【００８６】
ブロック410に示すように、或る実施例では、無線通信媒体を予約することは、データパケットをグループの無線通信デバイスのうち少なくとも１つに送信することを含んでもよく、パケットは、予約される期間に対応する持続時間値を含む。例えば、無線通信ユニット112（図１）は、例えば前述のように、パケット218（図２）を送信してもよい。
【００８７】
ブロック404に示すように、この方法は、予約された期間の間に２つ以上の異なる無線通信送信を、無線通信ユニットから、複数の無線通信デバイスのグループの２つ以上のそれぞれの無線通信デバイスに同時に送信することを含んでもよい。例えば、無線通信ユニット112（図１）は、例えば前述のように、予約された期間の間に送信214（図２）をグループ130（図１）の２つ以上の無線通信デバイスに送信してもよい。
【００８８】
ブロック412に示すように、或る実施例では、この方法は、グループの無線通信デバイスと通信するためのビームフォーミング方式を判定することを含んでもよい。
【００８９】
ブロック414に示すように、この方法は、少なくとも１つのビームフォーミングトレーニング開始フレームを無線通信ユニットから無線通信デバイスのグループに送信することを含んでもよい。例えば、無線通信ユニット112（図１）は、例えば前述のように、フレーム310（図３）を送信してもよい。
【００９０】
ブロック416に示すように、この方法は、無線通信ユニットにおいて、２つ以上の無線通信デバイスから２つ以上のフィードバックフレームを受信することを含んでもよい。例えば、無線通信ユニット112（図１）は、例えば前述のように、フレーム312、314及び／又は316を受信してもよい。
【００９１】
ブロック418に示すように、この方法は、２つ以上のフィードバックフレームに基づいて２つ以上のビームフォーミング方式を判定することを含んでもよい。例えば、無線通信ユニット112（図１）は、例えば前述のように、それぞれフレーム312、314及び／又は316（図３）に基づいて無線通信デバイス104、106及び／又は107（図１）と通信するために使用されるビームフォーミング方式を判定してもよい。
【００９２】
ブロック420に示すように、この方法は、それぞれ２つ以上のビームフォーミング方式を使用して、２つ以上の異なる無線通信送信をそれぞれ２つ以上の無線通信デバイスに送信することを含んでもよい。例えば、無線通信ユニット112（図１）は、例えば前述のように、無線通信デバイス104、106及び／又は107（図１）に対応するビームフォーミング方式を使用して送信318（図３）を送信してもよい。
【００９３】
図５を参照すると、或る例示の実施例による製造物500を概略的に示している。物500は、ロジック504を格納する機械可読記憶媒体502を含んでもよい。ロジック504は、例えば、無線通信ユニット112（図１）の機能の少なくとも一部を実行するために、及び／又は図４の方法の１つ以上の動作を実行するために使用されてもよい。
【００９４】
或る例示の実施例では、物500及び／又は機械可読記憶媒体502は、揮発性メモリ、不揮発性メモリ、取り外し可能又は取り外し不可能メモリ、消去可能又は消去不能メモリ、書き込み可能又は再書き込み可能メモリ等を含む、データを格納可能な１つ以上の種類のコンピュータ可読記憶媒体を含んでもよい。例えば、機械可読記憶媒体502は、RAM、DRAM、ダブルデータレートDRAM（DDR-DRAM）、SDRAM、スタティックRAM（SRAM）、ROM、プログラム可能ROM（PROM）、消去可能プログラム可能ROM（EPROM）、電気的消去可能プログラム可能ROM（EEPROM）、コンパクトディスクROM（CD-ROM）、記録可能コンパクトディスク（CD-R）、再書き込み可能コンパクトディスク（CD-RW）、フラッシュメモリ（例えば、NOR又はNANDフラッシュメモリ）、連想メモリ（CAM）、ポリマー（polymer）メモリ、位相変化（phase-change）メモリ、強誘電体（ferroelectric）メモリ、SONOS（silicon-oxide-nitride-oxide-silicon）メモリ、ディスク、フロッピー（登録商標）ディスク、ハードドライブ、光ディスク、磁気ディスク、カード、磁気カード、光カード、テープ、カセット等を含んでもよい。コンピュータ可読記憶媒体は、遠隔コンピュータから要求側のコンピュータに、通信リンク（例えば、モデム、無線又はネットワーク接続）を通じて搬送波又は他の伝搬媒体に具現されたデータ信号により伝達されるコンピュータプログラムをダウンロード又は伝送することに関与する如何なる適切な媒体を含んでもよい。
【００９５】
或る例示の実施例では、ロジック504は、機械により実行された場合、機械に対してここに記載の方法、処理及び／又は動作を実行させ得る命令、データ及び／又はコードを含んでもよい。例えば、機械は、如何なる適切な処理プラットフォーム、コンピュータプラットフォーム、コンピュータデバイス、処理デバイス、コンピュータシステム、処理システム、コンピュータ、プロセッサ等を含んでもよく、ハードウェア、ソフトウェア、ファームウェア等の如何なる適切な組み合わせを使用して実装されてもよい。
【００９６】
或る例示の実施例では、ロジック504は、ソフトウェア、ソフトウェアモジュール、アプリケーション、プログラム、サブルーチン、命令、命令セット、コンピュータコード、ワード、値、シンボル等を含んでもよく、このようなものとして実装されてもよい。命令は、ソースコード、コンパイル済コード、インタープリタ型コード、実行可能コード、静的コード、動的コード等のように、如何なる種類のコードを含んでもよい。命令は、プロセッサに特定の機能を実行するように指示する所定のコンピュータ言語、手法又はシンタックスに従って実装されてもよい。命令は、C、C++、Java（登録商標）、BASIC、Matlab、Pascal、Visual  BASIC、アセンブリ言語、機械コード等のような、如何なる適切なハイレベル、ローレベル、オブジェクト指向型、ビジュアル、コンパイル済、及び／又はインタープリタ型プログラミング言語を使用して実装されてもよい。
【００９７】
１つ以上の実施例を参照してここに記載した関数、動作、コンポーネント及び／又は機能は、１つ以上の他の実施例を参照してここに記載した１つ以上の関数、動作、コンポーネント及び／又は機能と組み合わされてもよく、組み合わされて利用されてもよい。また、この逆も同様である。
【００９８】
本発明の特定の特徴についてここに例示及び説明したが、多くの変更、置換、変形及び均等が当業者に思い浮かぶ。従って、特許請求の範囲は、本発明の真の要旨内に入る全てのこのような変更及び変形をカバーすることを意図する。
【図１】
0005524353.tif 000002
【図２】
0005524353.tif 000003
【図３】
0005524353.tif 000004
【図４】
0005524353.tif 000005
【図５】
0005524353.tif 000006